(57)【特許請求の範囲】
【請求項１】
大剣部および小剣部を中はぎ部を介して縫合してなるネクタイの製作方法において、大剣部および小剣部を中はぎ部を介して縫合した生地の表側が外側になるように、長さ方向の中心線を折り返し線として折り返し、縁部を巻きロック縫合し、該巻きロック縫合部を模様として中央に配置したことを特徴とするネクタイの製作方法。
【請求項２】
大剣部および紐を直接または中はぎ部を介して縫合してなるネクタイの製作方法において、大剣部または大剣部と中はぎ部とを縫合した生地の表側が外側になるように、長さ方向の中心線を折り返し線として折り返し、縁部を巻きロック縫合し、該巻きロック縫合部を模様として中央に配置したことを特徴とするネクタイの製作方法。
【請求項３】
大剣部および紐を直接または中はぎ部を介して縫合してなるネクタイの製作方法において、大剣部または大剣部と中はぎ部とを、長さ方向に２枚の生地を縫合し、生地の表側が外側になるように、前記縫合部を折り返し線として折り返し、縁部をさらに巻きロック縫合し、該巻きロック縫合部を模様として中央に配置したことを特徴とするネクタイの製作方法。
【発明の詳細な説明】
【技術分野】
【０００１】
本発明は、大剣部および小剣部を中はぎ部を介して縫合してなるネクタイにおける新規な製作方法に関する。
【背景技術】
【０００２】
ネクタイは一般に締めたときに表側に現れる幅の広い大剣部、締めたときにこの大剣部の裏側に隠れる幅のせまい小剣部およびこれらをつないでワイシャツの頸部に巻かれる中はぎ部よりなる表地と、裏地、芯材等で構成される。
特許文献１の［従来の技術］の項に、従来一般のネクタイの製作方法が記載されている。図面によりまずこれを簡単に説明する。
【０００３】
図８は表地の区画を示し、Ａは生地である。長手方向に対して約４５度の分割線の片側に、大剣部１、小剣部２、中はぎ部３の区画を作り、生地Ａを裁断する。１１は大剣先部、１２は大剣つなぎ部、２１は小剣先部、２２は小剣つなぎ部、３１、３２は中はぎつなぎ部である。周囲の折り返し部等を残して仕上げ裁断した後、大剣つなぎ部１２、小剣つなぎ部２２をそれぞれ中はぎつなぎ部３１、３２に縫合して帯状の1本のネクタイの形とする。このときの形状を図９に示す。ついで生地を裏返しにして生地の表側が内側になるように両側の側縁部を折り返し、縫合して筒状とし、これをさらに裏返して生地の表側が外側になるようにし、アイロンがけしてネクタイが完成する。なお、生地の裏地や芯材等はこの間で適宜挿入、あるいは縫合する。
【０００４】
図１０は完成したネクタイの裏側を示す平面図で、８ａ、８ｂは「かんぬき」と呼ばれる手縫いまたはミシン縫いのほつれ止め、９ａ、９ｂは裏生地である。
ここで折り返しの工程を図１１に示す。図１１（ａ）は折り返す前の状態を示す平面図で、見えているのは生地の表側であり、４は折り返し線、５は縫合線である。（ｂ）は折り返した状態の後ろ側の平面図である。
【０００５】
裏返しの工程を図１２に示す。（ａ）は折り返した両側側縁部を縫合した状態を示す斜視図で、この段階では生地の表側は内側になっている。（ｂ）はこれを裏返した状態を示す斜視図である。裏返すことにより本来の表側が表面になるとともに、縫目と縫い代が内側に隠れ、美観が向上する。
【特許文献１】登録実用新案第３００７３７６号公報
【発明の開示】
【発明が解決しようとする課題】
【０００６】
ところで、以上説明したような従来のネクタイの製作方法によれば、筒状に縫合するための縫い代分だけ生地が余分に必要であり、また縫合してから裏返し、アイロンかけをするなどの手間が必要である。裏返しの際にしわになりやすいなどの問題点もある。
本発明は、裏返しの工程を不要とし、縫目をむしろ積極的に意匠性を高める手段として活用するようにした新規なネクタイの製作方法を提供することを目的とする。
【課題を解決するための手段】
【０００７】
本発明は、大剣部および小剣部を中はぎ部を介して縫合してなるネクタイの製作方法において、大剣部および小剣部を中はぎ部を介して縫合した生地の表側が外側になるように、長さ方向の中心線を折り返し線として折り返し、縁部を巻きロック縫合し、該巻きロック縫合部を模様として中央に配置したことを特徴とするネクタイの製作方法、あるいは大剣部および紐を直接または中はぎ部を介して縫合してなるネクタイの製作方法において、大剣部または大剣部と中はぎ部とを縫合した生地の表側が外側になるように、長さ方向の中心線を折り返し線として折り返し、縁部を巻きロック縫合し、該巻きロック縫合部を模様として中央に配置したことを特徴とするネクタイの製作方法、あるいは、大剣部および紐を直接または中はぎ部を介して縫合してなるネクタイの製作方法において、大剣部または大剣部と中はぎ部とを、長さ方向に２枚の生地を縫合し、生地の表側が外側になるように、前記縫合部を折り返し線として折り返し、縁部をさらに巻きロック縫合し、該巻きロック縫合部を模様として中央に配置したことを特徴とするネクタイの製作方法である。
【発明の効果】
【０００８】
本発明によれば、縫い代分だけ生地が節約されるほか場合によっては裏付けも不要であり、筒状体を裏返す工程がないので製作の手間がかからず、しわになりにくいなどの製作工程上、品質上の利点を生じるというすぐれた効果を奏するばかりでなく、縫合部により斬新な美観を提供することができる。
【発明を実施するための最良の形態】
【０００９】
本発明のネクタイの製作方法は、生地を単に２つ折りにして縁をかがるだけであるから、製作が容易で、かつ意匠上のさまざまな工夫をこらすことができる。
【実施例】
【００１０】
本発明の実施例を図面により説明する。
図１は表地の区画を示し、Ａは生地で、各符号もこれまでと同じである。図８で説明した従来のものと同様、長手方向に対して約４５度の分割線に沿って大剣部１、小剣部２、中はぎ部３の区画を作り、生地Ａを裁断する。ここでそれぞれの幅方向中央に折り返し線を想定する。大剣先部１１、小剣先部２１を斜め形状のままとしてもよいし、切断線１１ａ、２１ａのようにこの折り返し線に対して対称形としてもよい。
【００１１】
大剣つなぎ部１２、小剣つなぎ部２２、中はぎつなぎ部３１、３２に縫合した後、前記折り返し線に沿って２つ折りする。このときの形状を図２に示す。
ここで縁部を縫合するのであるが、この手順は図３により説明する。図３（ａ）は折り返す前の状態を示す大剣部１の部分平面図で、４は折り返し線である。（ｂ）の折り返し後の大剣部１の部分平面図に示すように、生地の表側が外になるように折り返し線４に沿って折り返し、重なった縁部を縫合する。従来の縫目のように裏側に隠す縫い代がなく、裁断した生地のほぼ全幅がネクタイとなるので生地の無駄がない。折り返す際には内部に芯材を挿入することも任意である。
【００１２】
縁部の縫合をロックミシンを使用してロック縫いまたは巻きロック縫い６とすれば、裁断部を仕上げカットしながらかがって行くので、任意の色糸を使用することにより縫目そのものが飾りとなる。とくにロックミシンで３本針、４本針を使用すれば、複数色の糸を使用することで美麗な飾り部を形成することができる。図３（ｂ）に示したように、重ね合わせた面に任意の飾り縫い７を施すことで装飾とすることもできる。この部分を文字や図柄とすることもできる。
【００１３】
図４は実施例の一変形例を示す大剣部１の部分平面図で、（ａ）は折り返し前、（ｂ）は折り返し後である。全体では非対称であるが、折り返し線４の片側については対称形としておくと、中央がとがった通常のネクタイの形状の大剣部１とすることもできる。
このほか、先端を丸くしたり、巻きロックの縫い糸を生地から独立させて飾り紐とするなど、さまざまな意匠上の工夫を凝らすことも容易である。また本発明によるネクタイは裏表に構成上の相違がないから、飾り部分等を変えることにより裏表両用のリバーシブルなネクタイともなる。
【００１４】
薄手の生地を使用する場合には、他の生地をあてがい、また適宜芯材を挿入することで対処できる。
図５はこれまで説明したものと異なり、小剣部に相当する着用時に裏側となる部分を紐に置き換えたネクタイで、（ａ）はループ状の紐２ａの両端を中はぎ部３に縫い込んだもの、（ｂ）はループ状の紐２ｂの一端を直接大剣部１に縫い込み、他端をフリーとし、大剣部１を使用してネクタイを結んだ状態とし、ループ状の紐２ｂを首にかけてフリーの端部を引くことにより簡単に締めることのできるものである。このようなネクタイ自体はすでに知られているが、本発明では大剣部、あるいは大剣部と中はぎ部とを縫合した生地の表側が外側になるように、長さ方向の中心線を折り返し線として折り返し、縁部を縫合することに特徴がある。なお、このようなネクタイは、図２〜４に示した既製のネクタイから小剣部２を切り取り、手直しして作ることもできる。
【００１５】
図６は本発明の変形実施例で、図３の（ａ）に示した段階まではこれまでのものと同様であるが、図３（ａ）の折り返し線４に沿って折り返し、図６の（ａ）に示すように縁部を巻きロック縫い６などで縫い合わせ、大剣先部１１を内側に折り返し、巻きロック縫い６が中央になるようにしてアイロンがけすれば、巻きロック縫い６の縫い合わせ部が一種の模様となって新規のデザインのネクタイが得られる。
【００１６】
図７は本発明のさらなる変形実施例で、大剣部１と紐２ｂとを直接縫合してなるネクタイの製作方法において、大剣部１として長さ方向に２枚の生地を縫合したものを使用し、生地の表側が外側になるように、この縫合部を折り返し線として折り返し、縁部をさらに縫合することを特徴とする。６ａはこれまでの折り返し線に相当する縫合部の巻きロック縫い、６はこれまでのものと同じ縁部の巻きロック縫いである。この場合も、巻きロック縫いが中央になるようにアイロンがけして、縫い合わせ部を一種の模様とすることができる。
【図面の簡単な説明】
【００１７】
【図１】実施例における表地の区画を示す平面図である。
【図２】実施例における縫合して２つ折りされた生地を示す平面図である。
【図３】実施例における縫合の手順を示す部分平面図である。
【図４】変形実施例における縫合の手順を示す部分平面図である。
【図５】変形実施例におけるネクタイの平面図である。
【図６】他の変形実施例における縫合の手順を示す部分平面図である。
【図７】さらに他の変形実施例におけるネクタイの平面図である。
【図８】従来の技術における表地の区画を示す平面図である。
【図９】従来の技術における帯状に縫合された生地を示す平面図である。
【図１０】従来の技術における完成したネクタイの裏側を示す平面図である。
【図１１】従来の技術における折り返し工程を示す平面図である。
【図１２】従来の技術における裏返しの工程を示す平面図である。
【符号の説明】
【００１８】
１    大剣部
２    小剣部
２ａ、２ｂ    紐
３    中はぎ部
４    折り返し線
５    縫合線
６    巻きロック縫い
７    飾り縫い
８ａ、８ｂ    かんぬき
９ａ、９ｂ    裏生地
１１    大剣先部
１２    大剣つなぎ部
２１    小剣先部
２２    小剣つなぎ部
３１、３２    中はぎつなぎ部
Ａ    生地
【図１】
0004739011.tif 000002
【図２】
0004739011.tif 000003
【図３】
0004739011.tif 000004
【図４】
0004739011.tif 000005
【図５】
0004739011.tif 000006
【図６】
0004739011.tif 000007
【図７】
0004739011.tif 000008
【図８】
0004739011.tif 000009
【図９】
0004739011.tif 000010
【図１０】
0004739011.tif 000011
【図１１】
0004739011.tif 000012
【図１２】
0004739011.tif 000013